(57)【特許請求の範囲】
【請求項１】
主表示部と、外部からの割込みを検出する割込み検出手段と、前記主表示部の表示を制御し、前記割込み検出手段によって割込みが検出された場合に前記主表示部に割込み表示をさせる主表示制御手段とを備えた第１の音響機器、及び、従表示部と、前記従表示部の表示を制御する従表示制御手段とを備えた第２の音響機器を有する音響装置において、
前記主表示部に表示される表示の内容が、該主表示部のみに表示する内容であるか、前記従表示部と連動して表示する連動表示であるか、もしくは前記割込み表示であるかを判定する判定手段を具備し、
前記従表示制御手段は、前記判定手段の判定の結果、前記表示の内容が前記連動表示である場合に、前記従表示部の表示をその表示の内容に応じて更新し、前記主表示部のみに表示する内容、もしくは前記割込み表示である場合には前記従表示部のその時点での表示状態を継続させることを特徴とする音響装置。
【請求項２】
前記第１の音響機器は、前記主表示部に表示される表示の内容を前記第２の音響機器に送信する表示情報送信手段を備え、
前記第２の音響機器は、前記表示情報送信手段から送信される前記表示の内容を受信する表示情報受信手段と、前記判定手段とを備え、該判定手段が、前記表示情報受信手段によって受信される前記表示の内容に基づいて判定することを特徴とする請求項１記載の音響装置。
【請求項３】
前記第１の音響機器は、前記判定手段と、前記判定の結果、前記主表示部の表示の内容が前記従表示部と連動する連動表示である場合にその表示の内容を前記第２の音響機器に送信する表示情報送信手段とを備え、
前記第２の音響機器は、前記表示情報送信手段から送信される前記表示の内容を受信する表示情報受信手段を備え、前記従表示制御手段が、前記表示情報受信手段によって受信される前記表示の内容に基づいて前記従表示部の表示を変更することを特徴とする請求項１記載の音響装置。
【請求項４】
前記第２の音響機器は、操作部と、その操作部の操作内容を検出する操作検出手段とを備えており、
前記従表示制御手段は、前記操作検出手段によって検出される操作内容に基づいて前記従表示部に表示を行うことを特徴とする請求項１、２、又は３記載の音響装置。
【請求項５】
前記第１の音響機器は、操作部と、その操作部の操作内容を検出する操作検出手段とを備えており、
前記主表示制御手段は、当該第１の音響機器の前記操作検出手段によって検出される操作内容に基づいて前記主表示部に表示を行うことを特徴とする請求項１乃至４のいずれか１項記載の音響装置。
【請求項６】
前記第１の音響機器及び前記第２の音響機器は、それぞれ車載用の機器であることを特徴とする請求項１乃至５のいずれか１項記載の音響装置。
【請求項７】
第１の音響機器の主表示部に該第１の音響機器の操作状況に応じて表示を行う第１の表示ステップと、
第２の音響機器の従表示部に該第２の音響機器の操作状況に応じて表示を行う第２の表示ステップと、
前記第１の音響機器に対して外部からの割込みが発生した場合に、その割込みを検出する割込み検出ステップと、
前記割込みが検出された場合に、前記主表示部に割込み表示を行う割込み表示ステップと、
前記主表示部の表示内容が、該主表示部のみに表示する内容であるか、前記従表示部と連動して表示する連動表示であるか、もしくは前記割込み表示であるかを判定する判定ステップと、
前記判定の結果、前記主表示部の表示の内容が前記連動表示である場合においてのみ、前記従表示部の表示をその表示の内容に応じて更新する更新ステップと
を有することを特徴とする音響装置における表示部の表示方法。
【発明の詳細な説明】
【０００１】
【発明の属する技術分野】
本発明は、車載用の音響装置など、複数の音響機器で構成される音響装置に係り、特に、主表示部を備えた第１の音響機器と従表示部を備えた第２の音響機器とを有する音響装置に関する。
【０００２】
【従来の技術】
一般に、車載用の音響装置として、コンパクトディスク（以下、ＣＤという）プレーヤ、ミニディスク（以下、ＭＤという）プレーヤ、カセットテープレコーダ、ＦＭ／ＡＭラジオなどの複数の音響機器を連結した装置が知られている。そのような音響機器としては、それぞれ１ＤＩＮサイズの第１の音響機器（以下、センターユニットという）と第２の音響機器（以下、外部音響機器という）とから構成される１ＤＩＮ＋１ＤＩＮタイプの装置がある。
【０００３】
上記１ＤＩＮ＋１ＤＩＮタイプの音響装置には、例えば、センターユニットがＭＤプレーヤを主機能としてＦＭ／ＡＭチューナ及びアンプ等を備え、外部音響機器がＣＤプレーヤ、ＤＳＰ（デジタル・シグナル・プロセッサ）、グラフィック・イコライザ、スペアナ（スペクトラム・アナライザ）等を備えた装置や、センターユニットがカセットテープレコーダを主機能として備えた装置や、もしくは外部音響機器が液晶テレビを備えた装置など、様々な形態のものが知られている。また、近年では、このような音響機器にゲーム機能や電話機能、及びカーナビゲーションシステムなどを接続した音響装置が開発されている。
【０００４】
上述したセンターユニットと外部音響機器とには、それぞれコンピュータを利用した制御部が内蔵されると共に、つまみ、ボタン、キーなどの操作部が設けられている。また、センターユニットには主表示部、外部音響機器には従表示部が備えられており、それぞれの機器の状態などを表示するようになっている。そして、主表示部における表示情報は、通信手段によって従表示部に対して送信され、従表示部がこの表示情報に基づいて主表示部に対応した表示を行うようになっている。
【０００５】
例えば、主表示部において、操作部により、出力される信号の強度レベルが調整された場合、この調整状態が主表示部の表示部に表示されると共に、その調整状態に関する情報が従表示部に送信される。そして、従表示部は、その受信した調整状態に応じてそれまで表示していた内容を変化させる。
【０００６】
【発明が解決しようとする課題】
ところで、上述した装置では、ユーザが信号の強度レベルや表示部の表示方法、もしくはイコライジングやエフェクト等のモードを調整する場合（調整モード）、あるいはゲーム機能を備えた装置でゲームを行っている場合（ゲームモード）等に、ユーザの操作部による操作以外の割込みが発生することがある。例えば、上述したように電話機能が接続されている場合に、調整モードやゲームモードにおける操作中に外部から電話がかかってくることがある。そのような時、従来の音響装置では、センターユニットは電話の着信を検出すると、主表示部に例えば「ＴＥＬ」等の割込み表示を行うと共に、着信を示す情報を外部音響機器に送信する。そして、外部音響機器もまた、従表示部に「ＴＥＬ」等の割込み表示を行う。
【０００７】
しかしながら、上記のような調整モードやゲームモードでは、主表示部の表示部分がほぼ全て調整用もしくはゲーム用の表示に使用されている。例えば、信号の強度レベルを調整する場合、その調整状態をバー表示等で表示するが、そういったバーを主表示部の表示部分全体に表示している。従って、上述したような割込み表示を行う場合、その時点での表示を完全に割込み表示に変更する必要があり、調整モードやゲームモード等を終了させるか、あるいは、調整モードやゲームモード中に一時的に割込み表示を行ってその時点でのユーザによる操作を遮る動作を発生させていた。
【０００８】
ここで、図１１に、従来の音響装置における主表示部３３と従表示部３４との割込み発生時の表示例を示す。同図に示すように、センターユニット３１の主表示部３３に「ＴＥＬ」という割込み表示がなされており、同時に外部音響機器３２の従表示部３４にも「ＴＥＬ」という割込み表示がなされている。
【０００９】
このように、調整モードにおいてユーザが複雑な調整を行っている場合、もしくはゲームモードにおいてユーザがゲームを進行させている場合等に、割込みによってそれらの操作内容が強制的にキャンセルされてしまっていた。そのため、ユーザは、割込みの処理終了後に、再び最初から同じ操作を始めなければならなかった。
【００１０】
また、そのために、ユーザは調整モードやゲームモードの操作を行う場合は、電話等による割込みの機能をわざわざ停止させてから操作を開始していた。例えば、音響装置に電話割込みスイッチ等を設け、このスイッチをＯＮ／ＯＦＦする機能を設けて、上記調整モードやゲームモード中はそのスイッチをＯＦＦとするといった操作を考慮しなければならなかった。このため、ユーザはそのような操作の不便性から割込み機能をあえて使用しなくなり、割込み機能が有効に活用されなくなっていた。
【００１１】
本発明は、以上のような従来技術の欠点を解決するために提案されたものであり、その目的は、外部からの割込みが発生した場合であっても、その時点での操作状態を継続させることによりユーザによる操作を中断させないようにして、割込みの機能を有効に活用することができる音響装置及び音響装置における表示部の表示方法を提供することにある。
【００１２】
【課題を解決するための手段】
上記目的を達成するために、請求項１記載の発明は、主表示部と、外部からの割込みを検出する割込み検出手段と、前記主表示部の表示を制御し、前記割込み検出手段によって割込みが検出された場合に前記主表示部に割込み表示をさせる主表示制御手段とを備えた第１の音響機器、及び、従表示部と、前記従表示部の表示を制御する従表示制御手段とを備えた第２の音響機器を有する音響装置において、前記主表示部に表示される表示の内容が、該主表示部のみに表示する内容であるか、前記従表示部と連動して表示する連動表示であるか、もしくは前記割込み表示であるかを判定する判定手段を具備し、前記従表示制御手段は、前記判定手段の判定の結果、前記表示の内容が前記連動表示である場合に、前記従表示部の表示をその表示の内容に応じて更新し、前記主表示部のみに表示する内容、もしくは前記割込み表示である場合には前記従表示部のその時点での表示状態を継続させることを特徴としている。
【００１３】
また、請求項７記載の発明は、音響装置における表示部の表示方法であって、第１の音響機器の主表示部に該第１の音響機器の操作状況に応じて表示を行う第１の表示ステップと、第２の音響機器の従表示部に該第２の音響機器の操作状況に応じて表示を行う第２の表示ステップと、前記第１の音響機器に対して外部からの割込みが発生した場合に、その割込みを検出する割込み検出ステップと、前記割込みが検出された場合に、前記主表示部に割込み表示を行う割込み表示ステップと、前記主表示部の表示内容が、該主表示部のみに表示する内容であるか、前記従表示部と連動して表示する連動表示であるか、もしくは前記割込み表示であるかを判定する判定ステップと、前記判定の結果、前記主表示部の表示の内容が前記連動表示である場合においてのみ、前記従表示部の表示をその表示の内容に応じて更新する更新ステップとを有することを特徴としている。
【００１４】
以上のような構成を有する請求項１及び７記載の発明によれば、以下のような作用が得られる。すなわち、第１の音響機器の主表示部と第２の音響機器の従表示部にそれぞれ表示がなされており、この状態で外部から割込みが発生した場合、第１の音響機器において主表示部にこの割込みに対応した割込み表示がなされる。このとき、この主表示部の表示が割込み表示であると判定されるため、従表示部のその時点での表示状態が継続される。すなわち、第２の音響機器では、従表示部の表示が終了もしくは中断されることがない。また、このため、割込み機能を有効に活用することが可能となる。
【００１５】
請求項２記載の発明による音響装置は、請求項１記載の発明において、前記第１の音響機器が、前記主表示部に表示される表示の内容を前記第２の音響機器に送信する表示情報送信手段を備え、前記第２の音響機器が、前記表示情報送信手段から送信される前記表示の内容を受信する表示情報受信手段と、前記判定手段とを備え、該判定手段が、前記表示情報受信手段によって受信される前記表示の内容に基づいて判定すことを特徴としている。
【００１６】
請求項２記載の発明によれば、以下のような作用が得られる。すなわち、第１の音響機器では、主表示部に表示される表示の内容を第２の音響機器に送信し、第２の音響機器では、受信された表示の内容の判定がなされる。その判定の結果、主表示部の表示の内容が連動表示である場合にのみ、従表示制御手段が従表示部の表示を更新し、それ以外の場合はその時点での従表示部の表示状態を継続させる。このため、外部からの割込みが発生した場合に、主表示部のみに割込み表示がなされ、従表示部の表示はその影響を受けない。
【００１７】
請求項３記載の発明による音響装置は、請求項１記載の発明において、前記第１の音響機器が、前記判定手段と、前記判定の結果、前記主表示部の表示の内容が前記従表示部と連動する連動表示である場合にその表示の内容を前記第２の音響機器に送信する表示情報送信手段とを備え、前記第２の音響機器が、前記表示情報送信手段から送信される前記表示の内容を受信する表示情報受信手段を備え、前記従表示制御手段が、前記表示情報受信手段によって受信される前記表示の内容に基づいて前記従表示部の表示を変更することを特徴としている。
【００１８】
請求項３記載の発明によれば、以下のような作用が得られる。すなわち、第１の音響機器では、主表示部の表示の内容が判定され、その判定の結果、表示の内容が連動表示である場合にのみその表示の内容を第２の音響機器に送信する。そのため、第２の音響機器では、主表示部のみの表示や、割込み表示の場合に、従表示部の表示に影響を受けない。
【００１９】
請求項４記載の発明による音響装置は、請求項１、２，又は３記載の発明において、前記第２の音響機器が、操作部と、その操作部の操作内容を検出する操作検出手段とを備えており、前記従表示制御手段が、前記操作検出手段によって検出される操作内容に基づいて前記従表示部に表示を行うことを特徴としている。
【００２０】
請求項４記載の発明によれば、以下のような作用が得られる。すなわち、第２の音響機器の操作部によって操作がなされ、その操作内容に基づいて従表示部に表示がなされている時に、第１の音響機器に対して割込みが発生した場合、割込み表示は主表示部のみに表示されて従表示部には表示されない。そのため、例えば調整モード等その時点での操作状況が終了もしくは中断されるべきでないモードにおいて、第２の音響機器の操作部によって操作を行うことにより、その操作状況を保持することができる。
【００２１】
請求項５記載の発明による音響装置は、請求項１乃至４のいずれか１項記載の発明において、前記第１の音響機器が、操作部と、その操作部の操作内容を検出する操作検出手段とを備えており、前記主表示制御手段が、当該第１の音響機器の前記操作検出手段によって検出される操作内容に基づいて前記主表示部に表示を行うことを特徴としている。
【００２２】
請求項５記載の発明によれば、以下のような作用が得られる。すなわち、第１の音響機器の操作部によって、主表示部のみに表示を行う操作、もしくは主表示部と従表示部と連動させて表示する操作がなされる。従って、主表示部には、そのような操作部による操作に基づいて表示がなされるか、もしくは、外部からの割込みによる割込み表示がなされる。
【００２３】
請求項６記載の発明による音響装置は、請求項１乃至５のいずれか１項記載の発明において、前記第１の音響機器及び前記第２の音響機器が、それぞれ車載用の機器であることを特徴としている。
【００２４】
請求項６記載の発明によれば、例えばＣＤプレーヤ、ＭＤプレーヤ、ＦＭ／ＡＭチューナ等様々な機能を有する１ＤＩＮタイプの車載用の音響機器を、２台接続するような１ＤＩＮ＋１ＤＩＮタイプの車載用音響装置において、上記のような表示処理を実現することができる。すなわち、音響装置に例えば電話装置等の外部機器を接続した場合に、電話着信による電話割込みが発生した場合であっても、２台めの音響機器で割込みの影響を受けずに表示を継続させることができる。
【００２５】
【発明の実施の形態】
以下に、本発明による音響装置の実施の形態について図面を参照して説明する。なお、以下に示す実施の形態の各機能は、所定のメカニズムやソフトウェアがコンピュータ及び周辺機器を制御することで実現されるものであり、本明細書では、各機能や各処理に対応する「……手段」などの仮想的回路ブロックを想定して、発明及び実施の形態を説明している。このため、各ブロックに対して、これを実現する各ハードウエア要素やソフトウェア要素は１対１には対応しない。
【００２６】
［１．第１の実施の形態］
［１−１．構成］
図１は、本発明の第１の実施の形態による音響装置の構成を示すブロック図である。本実施の形態の音響装置は、図１に示すように、第１の音響機器であるセンターユニット１と、これにデータバス３を介して接続された第２の音響機器である外部音響機器２とから構成されている。これらセンターユニット１及び外部音響機器２は、それぞれ１ＤＩＮタイプの音響機器であり、例えば、センターユニット１がＭＤプレーヤ、ＦＭ／ＡＭチューナ、及びアンプ等の機能、外部音響機器２がＣＤプレーヤ、ＤＳＰ及びイコライザ等の機能といったように、それぞれ異なる機能を有している。また、センターユニット１及び外部音響機器２には、それぞれ主表示部４及び従表示部５と、操作部６，７とが設けられている。
【００２７】
更に、センターユニット１には、操作検出手段８、表示制御手段９、及び表示情報送信手段１０が設けられている。操作検出手段８は、操作部６の操作内容を検出し、表示制御手段９は、操作検出手段８による検出内容に基づいて主表示部４の表示を制御するようになっている。また、表示情報送信手段１０は、操作検出手段８による検出内容が主表示部４の表示内容を更新する旨の内容である場合、その表示内容を表示情報として外部音響機器２に送信するようになっている。
【００２８】
また、外部音響機器２には、センターユニット１と同様に操作検出手段１２及び表示制御手段１３が設けられている。すなわち、操作検出手段１２は、操作部７の操作内容を検出し、表示制御手段１３は表示部５の表示を制御するようになっている。更に、外部音響機器２には、表示情報受信手段１４及び表示情報判定手段１５が設けられている。表示情報受信手段１４は、センターユニット１の表示情報送信手段１０から送信される表示情報を受信し、表示情報判定手段１５は、この表示情報受信手段１４によって受信される表示情報の内容を判定する。すなわち、表示情報判定手段１５は、受信された表示情報が後述する外部機器２０による割込みを示す情報か、主表示部４と従表示部５とを連動させて表示する連動表示を示す情報か、もしくは連動表示でない表示を示す情報かを判定する。そして、表示制御手段１３は、この表示情報判定手段１５による判定の結果に基づき、従表示部５の表示を制御するようになっている。
【００２９】
更に、本実施の形態による音響装置では、データバス３を介して外部機器２０が接続されている。この外部機器２０は、例えば電話回線が接続された電話装置等であり、制御手段２１及び割込み手段２２を有している。制御手段２１は、外部装置２０が電話装置である場合はその電話機能を実現する部分であり、電話回線を介して電話信号が受信された場合に、割込み手段２２を制御してセンターユニット１の操作検出手段８に割込み信号を送信するようになっている。
【００３０】
また、センターユニット１の操作検出手段８は、上記割込み手段２２からの割込み信号を受信した場合、その旨を表示制御手段９と表示情報送信手段１０に通知する。これにより、表示制御手段９は、主表示部４の表示を割込み表示に変化させ、表示情報送信手段１０は、割込み表示を示す表示情報を外部音響機器２の表示情報受信手段１４に送信する。
【００３１】
一方、外部音響機器２の表示情報判定手段１５は、上述したように表示情報受信手段１４が受信した表示情報の内容を判定し、表示制御手段１３は、その内容が割込み表示を示している場合は従表示部５の表示内容を変化させず、連動表示を示している場合のみ変化させるようになっている。
【００３２】
また、図２は、センターユニット１及び外部音響機器２の前面パネルを示す概略図である。この図２に示すように、センターユニット１及び外部音響機器２において、中央左寄りの矩形の部分が、液晶ディスプレイによって構成された主表示部４及び従表示部５となっている。
【００３３】
また、その主表示部４と従表示部５とにそれぞれ隣接して、つまみ、ボタン、キーなどの操作部６，７が配置されている。これら操作部６，７は、センターユニット１及び外部音響機器２の機能に応じて、チャンネルやラジオ局の選択、ＣＤ及びＭＤの演奏するトラックの選択、カセットテープレコーダにおけるテープの早送り／巻戻し、ＣＤオートチェンジャ等におけるＣＤの選択、信号の強度（ボリューム）の調整、イコライジング及びエフェクト等の調整、及びＤＳＰの調整等を行うために設けられている。
【００３４】
ここで、本実施の形態では、上述したように、外部機器２０から送信される割込み信号はセンターユニット１に入力され、それによって主表示部４の表示のみが変化するが、割込みによって主表示部４の表示が変化した場合は、外部音響機器２の従表示部５の表示は変化しないようになっている。従って、上述した調整モード等のように、割込みによって終了もしくは中断されるべきではないモードの場合の操作は、外部音響機器２の操作部７によって行われるようになっている。
【００３５】
なお、外部機器２０からの割込み信号は、データバス３上を流れるために、センターユニット１と外部音響機器２との両方に入力することができる。但し、本実施の形態では、操作検出手段８が音響装置のシステム全体の動作モードを決定しており、上記割込み信号がセンターユニット１において制御されるようになっている。
【００３６】
［１−２．作用］
以上のように構成された本実施の形態の作用を、図３及び図４に示すフローチャートと、図５〜図９に示す主表示部４及び従表示部５の表示例を参照して説明する。
【００３７】
まず、図５に示すように、センターユニット１の主表示部４に例えばラジオ局の周波数等が表示されている状態で（図３のステップＳ１０）、外部音響機器２が調整モードとなっているものとする。例えば、同図に示すように、従表示部５には主表示部４及び従表示部５の輝度のレベルを示す表示がなされており（図４のステップＳ２０）、ユーザが外部音響機器２の操作部７を使用してこの輝度のレベルを調整しているものとする。
【００３８】
＜非連動表示の場合＞
まず、以上のような状態で、主表示部４のみ表示の変更がなされる場合について説明する。すなわち、ユーザがセンターユニット１の操作部６により、例えばラジオ局のチャンネルを変更する等、主表示部４のみ表示を変更するよう操作を行ったものとする。
【００３９】
この操作部６による操作が操作検出手段８によって検出されると（ステップＳ１１）、この検出内容が表示情報送信手段１０に通知され、表示情報送信手段１０により外部音響機器２の表示情報受信手段１４に送信される（ステップＳ１２）。また、上記操作検出手段８による検出内容は表示制御手段９にも通知され、表示制御手段９によって主表示部４の表示内容が更新される（ステップＳ１３）。
【００４０】
一方、外部音響機器２では、表示情報受信手段１４によって表示情報が受信されると（ステップＳ２１）、表示情報判定手段１５によりこの表示情報の内容が判定される。この場合、当該表示情報が割込み表示を示す情報でなく（ステップＳ２２）、連動表示を示す情報でもないため（ステップＳ２３）、表示制御手段１３により従表示部５の表示内容は更新されない。従って、センターユニット１の主表示部４の表示内容のみが変更され、外部音響機器２の従表示部５の表示内容は変更されずにそのままの状態が保持される。
【００４１】
ここで、図６に、この時点での主表示部４及び従表示部５の表示状態の例を示す。すなわち、主表示部４の表示のみが変更されており、従表示部５の表示は図５に示す状態から変更されていない。
【００４２】
＜連動表示の場合＞
次に、図５に示すような表示状態で、ユーザがセンターユニット１の操作部６により例えばボリュームの調整等を行い、主表示部４と従表示部５とが連動表示するように操作したとする。この場合、例えば、信号の強度を示すバー表示を主表示部４と従表示部５とで連続した表示とする等、視覚的な効果をねらって連動表示が指示される。
【００４３】
そして、この操作部６による操作が操作検出手段８によって検出されると（ステップＳ１１）、この検出内容が表示情報送信手段１０に通知され、表示情報送信手段１０により外部音響機器２の表示情報受信手段１４に送信される（ステップＳ１２）。また、上記操作検出手段８による検出内容は表示制御手段９にも通知され、表示制御手段９によって主表示部４の表示内容が更新される（ステップＳ１３）。
【００４４】
一方、外部音響機器２では、表示情報受信手段１４によって表示情報が受信されると（ステップＳ２１）、表示情報判定手段１５によりこの表示情報が割込み表示を示す情報か否かが判定され（ステップＳ２２）、割込み表示を示す情報でないため、連動表示を示す情報か否かが判定される（ステップＳ２３）。この場合、受信した表示情報が連動表示を示す情報であるため、表示制御手段１３によってその表示情報に基づいて従表示部５の表示内容が更新される。すなわち、従表示部５において、センターユニット１の主表示部４と連動した表示がなされる。
【００４５】
ここで、図７に、この時点での主表示部４及び従表示部５の表示状態の例を示す。すなわち、この場合、主表示部４及び従表示部５の表示が変更されて、信号の強度を示すバー表示が主表示部４と従表示部５で連続した表示となっている。
【００４６】
＜割込み表示の場合＞
次に、図５に示すような表示状態で、例えば電話回線を介して電話信号が受信され、外部機器２０である電話装置の割込み手段２１からセンターユニット１の操作検出手段８に割込み信号が送信されたとする。そして、この割込み信号が操作検出手段８によって検出されると（図３のステップＳ１１）、この検出内容が表示情報送信手段１０に通知され、表示情報送信手段１０により外部音響機器２の表示情報受信手段１４に送信される（ステップＳ１２）。また、上記操作検出手段８による検出内容は表示制御手段９にも通知され、表示制御手段９によって主表示部４の表示内容が更新される（ステップＳ１３）。
【００４７】
一方、外部音響機器２では、表示情報受信手段１４によって表示情報が受信されると（ステップＳ２１）、表示情報判定手段１５によりこの表示情報が割込み表示を示す情報か否かが判定される（ステップＳ２２）。この場合、受信した表示情報が割込み表示を示す情報であるため、表示制御手段１３による従表示部５の表示内容の更新はなされない。すなわち、従表示部５の表示は変更されずにそのままの状態が保持される。従って、この間、外部音響機器２において、ユーザが操作部７を用いて調整等を継続することができる。
【００４８】
ここで、図８に、この時点での主表示部４及び従表示部５の表示状態の例を示す。すなわち、主表示部４には、電話による割込みが発生したことを示す「ＴＥＬ」が表示されており、従表示部５には、図５に示す表示と同一の表示がなされている。
【００４９】
また、ユーザが電話によって通話を行い、それが終了した場合、例えば受話器を置く等して通話を終了した場合、外部機器２０の制御手段２２により割込み手段２１からセンターユニット１の操作検出手段８に割込み信号が送信される。そして、この割込み信号が操作検出手段８によって検出され（ステップＳ１１）、表示情報送信手段１０によって外部音響機器２の表示情報受信手段１４に送信されると共に（ステップＳ１２）、表示制御手段９によって主表示部４の表示内容が更新される。すなわち、電話割込みが発生する前の表示に戻される。
【００５０】
一方、外部音響機器２では、表示情報受信手段１４によって受信される表示情報が割込み表示を示す情報であるため（ステップＳ２２）、表示制御手段１３によって従表示部５の表示内容が更新されない。なお、主表示部４における割込み表示中に外部音響機器２の操作部７によってなされた操作内容は、外部音響機器２の図示しない送信手段によってセンターユニット１の図示しない受信手段に対して送信され、センターユニット１においてその操作内容が反映される。
【００５１】
図９に、この時点での主表示部４及び従表示部５の表示状態の例を示す。すなわち、主表示部４の表示は図５に示す表示と同一の状態に戻っており、従表示部５の表示も調整モードの表示が継続されている。
【００５２】
以上のように、電話による割込み等の割込みが発生した場合、その割込み表示は主表示部４にのみ表示され、従表示部５にはそれまでの表示が継続して表示される。
【００５３】
なお、センターユニット１内にタイマ機能を設け、電話着信の割込み発生時に「ＴＥＬ」表示を行ってユーザが通話を開始し、一定の時間が経過するとその時点までの表示に戻るようにしても良い。
【００５４】
［１−３．効果］
以上のように本実施の形態によれば、外部機器２０からの割込みが発生した場合に、センターユニット１の主表示部４のみに割込み表示がなされ、外部音響機器２ではその時点での操作が終了もしくは中断されない。従って、調整モード等のように操作の途中でキャンセルされるべきでないモードでは、外部音響機器２の操作部７によって操作を行うことにより、その操作状況を保持することができる。
【００５５】
従って、調整モード等において、割込み後に再調整を行ったり、割込み動作をＯＮ／ＯＦＦするようなスイッチを設けて予めＯＦＦにしておくといった操作が不要となる。そのため、従来のようにユーザが割込み機能をあえて使用しないといったことが無く、割込み機能を有効に活用することができる。
【００５６】
［２．第２の実施の形態］
［２−１．構成］
図１０は、本発明の第２の実施の形態による音響装置の構成を示すブロック図である。本実施の形態では、センターユニット１側に表示情報判定手段１１が設けられている。この表示情報判定手段１１は、操作検出手段８によって検出される操作の内容を判定する。すなわち、その操作の内容が、主表示部４のみの表示を更新する内容であるか、主表示部４と外部音響機器２の従表示部５との連動表示であるか、もしくは、外部機器２０からの割込みであるかを判定する。そして、表示情報判定手段１１は、当該操作内容が主表示部４と従表示部５との連動表示である場合のみ、その内容を示す表示情報を表示情報送信手段１０に通知し、表示情報送信手段１０によって外部音響機器２に送信させる。
【００５７】
一方、外部音響機器２では、表示情報受信手段１４が上記表示情報を受信すると、表示制御手段１３がそれに基づいて従表示部５の表示を更新する。
【００５８】
［２−２．作用・効果］
以上のような構成を有する本実施の形態では、ユーザがセンターユニット１の操作部６により主表示部４の表示のみ変更するよう操作すると、表示情報判定手段１１はその操作内容を表示情報送信手段１０に通知しない。従って、外部音響機器２にセンターユニット１からの表示情報が送信されないため、従表示部５ではその時点での表示が継続される。
【００５９】
一方、ユーザが操作部６により連動表示を指示すると、表示情報判定手段１１はその操作内容を表示情報送信手段１０に通知するため、表示情報送信手段１０がその表示情報を外部音響機器２の表示情報受信手段１４に送信する。それによって、外部音響機器２では表示制御手段１３が従表示部５を制御し、主表示部４と連動表示させる。
【００６０】
更に、外部機器２０から電話割込み等の割込み信号が送信された場合、操作検出手段８がこの割込み信号を検出し、表示情報判定手段１１がその内容を判定する。この場合、操作内容が割込みであるため、表示情報容判定手段１１はその内容を表示情報送信手段１０に通知しない。従って、外部音響機器２にセンターユニット１からの表示情報が送信されないため、従表示部５ではその時点での表示が継続されず、主表示部４のみにおいて割込み表示がなされる。
【００６１】
以上のように、本実施の形態によれば、上述した第１の実施の形態と同様に、外部機器２０からの割込みが発生した場合に、センターユニット１の主表示部４のみに割込み表示がなされ、外部音響機器２ではその時点での操作が終了もしくは中断されない。
【００６２】
［３．他の実施の形態］
本発明は、上述した実施の形態に限定されるものではなく、以下のような他の実施の形態をも包含するものである。
【００６３】
まず、センターユニット１及び外部音響機器２のそれぞれの機能については、特に限定されない。例えば、センターユニット１が時計やタイマ機能等の基本的な機能のみを有し、外部音響機器２がＣＤプレーヤ、ＭＤプレーヤ、チューナ等一般にソース機器と呼ばれる機器を有するようにしてもよく、あるいは、センターユニット１がＣＤプレーヤ、ＭＤプレーヤ、もしくはカセットテープレコーダのいずれかを主機能とするようにしても良い。また、外部音響機器２の代わりにカーナビゲーションシステム等を接続するようにしても良い。
【００６４】
すなわち、センターユニット１が主表示部４を有し、外部音響機器２が従表示部５を有する構成であれば、それぞれに付随する機能については全く限定されるものではない。
【００６５】
また、外部機器２０は電話装置に限らず、例えばカーナビゲーションシステムであっても良く、割込みとしては例えば事故情報等の交通情報であっても良い。更に、外部機器２０は車載機器の何らかの異常を検出する装置であってもよく、割込みとしてそのような異常を通知する信号であっても良い。また、こういった外部機器２０は、それぞれ１ＤＩＮタイプのセンターユニット１と外部音響機器２とは別個の機器でなくてもよく、センターユニット１及び外部音響機器２のいずれか一方に組み込まれた構成であっても良い。
【００６６】
また、本発明の音響装置は車載用の音響装置に限らず、ＣＤプレーヤ、ＭＤプレーヤ、カセットテープレコーダ等、それぞれが表示部を有する複数のデッキから構成されるコンポーネントタイプの音響装置であっても良い。
【００６７】
【発明の効果】
以上説明したように、本発明によれば、外部からの割込みが発生した場合であっても、第１の音響機器の主表示部においてのみ割込み表示を行い、第２の音響機器の従表示部には割込み表示を行わない。従って、第２の音響機器において、割込みが発生した時点での表示状態を継続させることができる。また、第２の音響機器が操作部を有する場合は、例えば各種の調整モード等において、操作部による操作の内容を保持することができ、割込みによって操作状況が終了もしくは中断されることがない。
【図面の簡単な説明】
【図１】本発明の第１の実施の形態による音響装置の構成を示すブロック図。
【図２】同実施の形態によるセンターユニット１及び外部音響機器２の前面パネルを示す概略図。
【図３】同実施の形態によるセンターユニット１における表示処理を示すフローチャート。
【図４】同実施の形態による外部音響機器２における表示処理を示すフローチャート。
【図５】同実施の形態による主表示部４及び従表示部５の表示例を示す図。
【図６】同実施の形態による主表示部４及び従表示部５の表示例を示す図。
【図７】同実施の形態による主表示部４及び従表示部５の表示例を示す図。
【図８】同実施の形態による主表示部４及び従表示部５の表示例を示す図。
【図９】同実施の形態による主表示部４及び従表示部５の表示例を示す図。
【図１０】第２の実施の形態による音響装置の構成を示すブロック図。
【図１１】従来の音響装置の主表示部３３及び従表示部３４の表示例を示す図。
【符号の説明】
１…センターユニット
２…外部音響機器
３…データバス
４…主表示部
５…従表示部
６，７…操作部
８，１２…操作検出手段
９，１３…表示制御手段
１０…表示情報送信手段
１１，１５…表示情報判定手段
１４…表示情報受信手段
２０…外部機器
２１…制御手段
２２…割込み手段
【図１】
0003959169.tif 000002
【図２】
0003959169.tif 000003
【図３】
0003959169.tif 000004
【図４】
0003959169.tif 000005
【図５】
0003959169.tif 000006
【図６】
0003959169.tif 000007
【図７】
0003959169.tif 000008
【図８】
0003959169.tif 000009
【図９】
0003959169.tif 000010
【図１０】
0003959169.tif 000011
【図１１】
0003959169.tif 000012